(57)【要約】      （修正有）【課題】輸送する際に、内容物が段ボール箱の内部を移動することを抑制することが可能な段ボール箱を提供すること。【解決手段】一対の幅面１２１及び一対の長さ面を含む側部１２０と、前記一対の幅面の下端に連結された一対の底側内フラップ及び前記一対の長さ面の下端に連結された一対の底側外フラップ１１２を含む底部と、を備え、内容物１７０と前記内容物が取り付けられた平板１７１とのいずれかを支持する支持手段を設けた、段ボール箱。【選択図】図５
0003221870.tif 000002
【実用新案登録請求の範囲】
【請求項１】
一対の幅面及び一対の長さ面を含む側部と、底部と、を備え、
前記幅面と前記長さ面とが交差する角部には、前記底部に沿って延びて高さ方向に離隔する一対の切り込みと、当該切り込みによって形成され内側に向けて折れ曲がった状態の折り曲げ部と、が設けられ、
前記折り曲げ部と前記底部との間隙に、内容物が取り付けられた平板の縁部が挿入されて平板が支持される、
段ボール箱。
【請求項２】
一対の底側内フラップ及び一対の底側外フラップを含む底部を備え、
前記底側内フラップに、内容物が取り付けられた平板が固定部材を介して固定される、
段ボール箱。
【請求項３】
一対の幅面及び一対の長さ面を含む側部と、
前記一対の幅面の下端に連結された一対の底側内フラップ及び前記一対の長さ面の下端に連結された一対の底側外フラップを含む底部と、を備え、
前記底側内フラップは、前記幅面の下端で折れ曲がり内側に行くに従って上側に向けて斜め上方に延びる第１部分と、前記第１部分の先端で折れ曲がり外側に向けて前記幅面まで延びる第２部分と、前記第２部分の先端で折れ曲がり前記幅面に沿って下側に向けて延びる第３部分と、を含む支持部を備え、
前記第１部分で内容物の端部が支持される、
段ボール箱。
【考案の詳細な説明】
【技術分野】
【０００１】
本考案は、段ボール箱に関する。
【背景技術】
【０００２】
内容物を収容する梱包箱として段ボール箱が知られている（例えば、特許文献１参照）。段ボール箱は、底部と、側部と、蓋部と、を有する。底部は、一対の底側内フラップと、一対の底側外フラップと、を含む。側部は、一対の幅面と、一対の長さ面と、を含む。蓋部は、一対の蓋側内フラップと、一対の蓋側外フラップと、を含む。
【０００３】
内容物を梱包する場合は、蓋部を開放した状態で、段ボール箱の内部に内容物を収納したのち、蓋部を閉じ、一対の底側外フラップ同士をガムテープ等で固定する。
【先行技術文献】
【特許文献】
【０００４】
【特許文献１】特開２０１６−２１０４５４号公報
【考案の概要】
【考案が解決しようとする課題】
【０００５】
段ボール箱に対して内容物が固定されていないため、段ボール箱を輸送する際に、内容物が段ボール箱の内部を移動して異音が発生したり、内容物が破損したりする可能性がある。
【０００６】
本考案は、かかる問題点に鑑みてなされたものであり、その目的は、輸送する際に、内容物が段ボール箱に対して支持可能な段ボール箱を提供することである。
【課題を解決するための手段】
【０００７】
上述した課題を解決し、目的を達成するために、本考案の一態様に係る段ボール箱は、一対の幅面及び一対の長さ面を含む側部と、底部と、を備え、前記幅面と前記長さ面とが交差する角部には、前記底部に沿って延びて高さ方向に離隔する一対の切り込みと、当該切り込みによって形成され内側に向けて折れ曲がった状態の折り曲げ部と、が設けられ、前記折り曲げ部と前記底部との間隙に、内容物が取り付けられた平板の縁部が挿入されて平板が支持される。
【０００８】
本考案の他の態様に係る段ボール箱は、一対の底側内フラップ及び一対の底側外フラップを含む底部を備え、前記底側内フラップに、内容物が取り付けられた平板が固定部材を介して固定される。
【０００９】
本考案のさらに他の態様に係る段ボール箱は、一対の幅面及び一対の長さ面を含む側部と、前記一対の幅面の下端に連結された一対の底側内フラップ及び前記一対の長さ面の下端に連結された一対の底側外フラップを含む底部と、を備え、前記底側内フラップは、前記幅面の下端で折れ曲がり内側に行くに従って上側に向けて斜め上方に延びる第１部分と、前記第１部分の先端で折れ曲がり外側に向けて前記幅面まで延びる第２部分と、前記第２部分の先端で折れ曲がり前記幅面に沿って下側に向けて延びる第３部分と、を含む支持部を備え、前記第１部分で内容物の端部が支持される。
【考案の効果】
【００１０】
本考案は、内容物を支持することにより、輸送する際に、内容物が段ボール箱の内部を移動することを抑制することが可能になるという効果を奏する。
【図面の簡単な説明】
【００１１】
【図１】図１は、実施形態１に係る段ボール箱の構成例を示す斜視図である。
【図２】図２は、図１の段ボール箱の概略的展開図である。
【図３】図３は、図１のＩＩＩ−ＩＩＩ線による断面図である。
【図４】図４は、シュリンクフィルムを介して内容物が平板に取り付けられた状態を示す斜視図である。
【図５】図５は、図１のＶ−Ｖ線による断面図である。
【図６】図６は、実施形態２に係る段ボール箱の断面図であり、実施形態１の図５に対応している。
【図７】図７は、実施形態３に係る段ボール箱の内部を示す、一部が断面である概略的斜視図である。
【図８】図８は、図７のＶＩＩＩ−ＶＩＩＩ線による断面図である。
【図９】図９は、底側内フラップに切り込みを入れて第１帯状部を作成した状態を示す概略的斜視図である。
【考案を実施するための形態】
【００１２】
本考案を実施するための形態（実施形態）につき、図面を参照しつつ詳細に説明する。以下の実施形態に記載した内容により本考案が限定されるものではない。また、以下に記載した構成要素には、当業者が容易に想定できるもの、実質的に同一のものが含まれる。さらに、以下に記載した構成は適宜組み合わせることが可能である。また、本考案の要旨を逸脱しない範囲で構成の種々の省略、置換又は変更を行うことができる。
【００１３】
〔実施形態１〕
本考案の実施形態１に係る段ボール箱を図面に基づいて説明する。図１は、実施形態１に係る段ボール箱の構成例を示す斜視図である。図２は、図１の段ボール箱の概略的展開図である。
【００１４】
実施形態１に係る段ボール箱１００は、全体として直方体状に形成されている。段ボール箱１００は、底部１１０と、側部１２０と、蓋部１３０と、を備える。
【００１５】
底部１１０は、一対の底側内フラップ１１１と、一対の底側外フラップ１１２と、を有する。図１に示す段ボール箱１００に組み立てた状態では、一対の底側内フラップ１１１が対向して配置され、一対の底側外フラップ１１２が対向して配置される。また、図２に示す展開状態では、図２の左右方向（横方向）に行くに従って、底側内フラップ１１１と底側外フラップ１１２とが交互に配置される。
【００１６】
側部１２０は、一対の幅面１２１と、一対の長さ面１２２と、を有する。図１に示す段ボール箱１００に組み立てた状態では、一対の幅面１２１が対向して配置され、一対の長さ面１２２が対向して配置される。また、図２に示す展開状態では、図２の左右方向（横方向）に行くに従って、幅面１２１と長さ面１２２とが交互に配置される。幅面１２１と底側内フラップ１１１とは、折れ線１２３を介して連結されている。長さ面１２２と底側外フラップ１１２とは、折れ線１２４を介して連結されている。即ち、幅面１２１の下側に底側内フラップ１１１が連結され、長さ面１２２の下側に底側外フラップ１１２が連結されている。
【００１７】
蓋部１３０は、一対の蓋側内フラップ１３１と、一対の蓋側外フラップ１３２と、を有する。図１に示す段ボール箱１００に組み立てた状態では、一対の蓋側内フラップ１３１が対向して配置され、一対の蓋側外フラップ１３２が対向して配置される。また、図２に示す展開状態では、図２の左右方向（横方向）に行くに従って、蓋側内フラップ１３１と蓋側外フラップ１３２とが交互に配置される。幅面１２１と蓋側内フラップ１３１とは、折れ線１２５を介して連結されている。長さ面１２２と蓋側外フラップ１３２とは、折れ線１２６を介して連結されている。即ち、幅面１２１の上側に蓋側内フラップ１３１が連結され、長さ面１２２の上側に蓋側外フラップ１３２が連結されている。
【００１８】
図３は、図１のＩＩＩ−ＩＩＩ線による断面図である。図１〜図３に示すように、幅面１２１と長さ面１２２とが交差する角部１４０には、高さ方向の一部に折り曲げ部１５０が設けられる。折り曲げ部１５０は、例えば、底部１１０の近傍に設けられる。また、角部１４０には、底部１１０に沿って延び高さ方向に離隔する一対の切り込み１５１が設けられている。切り込み１５１は、例えば、カッターなどの刃物類を用いて形成することができる。
【００１９】
図３に示すように、折り曲げ部１５０は、幅面１２１と交差（直交）して長さ面１２２に沿って延びる第１曲げ部１５２と、第１曲げ部１５２の先端１５２ａで折れ曲がって幅面１２１に沿って延びる第２曲げ部１５３と、から構成される。折り曲げ部１５０は、高さ方向から見てＬ字状に形成される。高さ方向に離隔した一対の切り込み１５１によって、幅面１２１及び長さ面１２２から切り離された帯状部分１６０が形成される。この帯状部分１６０を側部１２０の内側に向けて折り曲げることにより、折り曲げ部１５０が形成される。折り曲げ部１５０は、側部１２０の内側に向けて突出する。即ち、角部１４０には、底部１１０に沿って延びて高さ方向に離隔する一対の切り込み１５１と、切り込み１５１によって形成された帯状部分１６０が内側に向けて折れ曲がった状態の折り曲げ部１５０と、が設けられる。
【００２０】
図４は、シュリンクフィルムを介して内容物が平板に取り付けられた状態を示す斜視図である。図４に示すように、搬送対象物である内容物１７０と厚紙の平板１７１とは、透明なシュリンクフィルム１７２で覆われている。これにより、シュリンクフィルム１７２を介して内容物１７０が平板１７１に取り付けられる。なお、本考案では、シュリンクフィルム１７２以外の手段（例えば、両面テープ等）によって、内容物１７０を平板１７１に取り付けてもよい。
【００２１】
図５は、図１のＶ−Ｖ線による断面図である。なお、図５では、シュリンクフィルム１７２を省略している。図５に示すように、折り曲げ部１５０は、高さ方向の上側に設けられる上辺１５２ｂと、高さ方向の下側に設けられる下辺１５２ｃと、を含む。折り曲げ部１５０の下辺１５２ｃと底側内フラップ１１１との間には、高さ方向に沿って間隙Ｇが設けられる。平板１７１には、図示しないシュリンクフィルムによって内容物１７０が固定されている。間隙Ｇに、内容物１７０が取り付けられた平板１７１の縁部１７１ａが挿入されることにより、平板１７１を介して内容物１７０が支持される。
【００２２】
次に、内容物１７０が取り付けられた平板１７１を折り曲げ部１５０によって支持する作業手順を説明する。
【００２３】
まず、図１に示す段ボール箱１００において、４箇所の角部１４０に切り込み１５１を入れる。切り込み１５１は、例えば、高さ方向で底部１１０の近傍に設ける。切り込み１５１は、底部１１０に平行に上下一対に設ける。切り込み１５１は、例えば、カッターなどの刃物類を用いて形成する。この上下一対の切り込み１５１により、帯状部分１６０が形成される。帯状部分１６０は、上下一対の切り込み１５１により、幅面１２１及び長さ面１２２に対して折り曲げ可能となる。
【００２４】
次に、内容物１７０が取り付けられた平板１７１を、底部１１０に載置して段ボール箱１００に収容する。
【００２５】
次に、帯状部分１６０を側部１２０の内側に向けて、図３に示した状態になるまで押し込む。この押し込み作業を４つの角部１４０において行う。これにより、４つの角部１４０の全てにおいて、図５に示すように、折り曲げ部１５０が側部１２０の内側に突出した状態となる。図５に示すように、折り曲げ部１５０の下辺１５２と底側内フラップ１１１との間に設けられる間隙Ｇに、平板１７１の縁部１７１ａが挿入される。これにより、平板１７１の縁部１７１ａが折り曲げ部１５０によって支持される。
【００２６】
以上説明したように、第１実施形態によれば、折り曲げ部１５０と底部１１０との間隙Ｇに、内容物１７０が取り付けられた平板１７１の縁部１７１ａが挿入されて平板１７１が折り曲げ部１５０で支持される。従って、簡単な作業で、折り曲げ部１５０を作成し、内容物１７０が取り付けられた平板１７１の縁部１７１ａを支持することができる。また、折り曲げ部１５０も簡単な構造となる。
【００２７】
さらに、段ボール箱１００の一部を加工して折り曲げ部１５０を作成するため、段ボール箱１００の重量が増加しない。また、平板１７１の厚さに応じて、切り込み１５１の高さ位置を変更することによって、折り曲げ部１５０と底部１１０との間隙Ｇの大きさを適宜に設定することができる。
【００２８】
〔実施形態２〕
本考案の実施形態２に係る段ボール箱を図面に基づいて説明する。図６は、実施形態２に係る段ボール箱の断面図であり、実施形態１の図５に対応している。
【００２９】
実施形態２に係る段ボール箱２００は、側部１２０Ａを有する。側部１２０Ａは、実施形態１の側部１２０に対して、折り曲げ部１５０が設けられていない点において相違する。
【００３０】
平板１７１には、図示しないシュリンクフィルムによって内容物１７０が取り付けられている。平板１７１の縁部１７１ａには、厚さ方向に貫通する貫通孔１７１ｃが設けられる。内容物１７０が取り付けられた平板１７１を段ボール箱２００の内部に収容した状態では、平板１７１の下側に底側内フラップ１１１Ａが配置される。底側内フラップ１１１Ａの下側には、底側外フラップ１１２が配置される。底側内フラップ１１１Ａには、厚さ方向に貫通する貫通孔１１１Ａａが設けられる。貫通孔１７１ｃと貫通孔１１１Ａａとは、厚さ方向に連通する。
【００３１】
タグピン２１０（固定部材）は、下端に位置する止め部２１１と、上端に位置する頭部２１２と、頭部２１２及び止め部２１１を上下に連結する脚部２１３と、から一体に形成される。図６に示すように、タグピン２１０は、側方から見てＨ字状の形状を有する。止め部２１１は、貫通孔１１１Ａａから抜けないように、底側内フラップ１１１Ａの下面１１１Ａｂに支持される。頭部２１２は、貫通孔１７１ｃから抜けないように、平板１７１の上面１７１ｂに支持される。
【００３２】
次に、内容物１７０が取り付けられた平板１７１をタグピン２１０によって支持する作業手順を説明する。
【００３３】
まず、図示しない鋭利な穿孔具によって、平板１７１に貫通孔１７１ｃを開けると共に、底側内フラップ１１１Ａに貫通孔１１１Ａａを開ける。
【００３４】
次に、内容物１７０が取り付けられた平板１７１の貫通孔１７１ｃにタグピン２１０の止め部２１１及び脚部２１３を挿入する。そして、底側内フラップ１１１Ａを折り、貫通孔１１１Ａａにタグピン２１０の止め部２１１及び脚部２１３を挿入する。これにより、平板１７１の縁部１７１ａがタグピン２１０によって底側内フラップ１１１Ａに支持される。そして、底側外フラップ１１２を折り曲げて図６の状態とする。
【００３５】
以上説明したように、第２実施形態によれば、底側内フラップ１１１Ａに、内容物１７０が取り付けられた平板１７１がタグピン２１０（固定部材）を介して固定される。
【００３６】
従って、タグピン２１０を貫通孔１７１ｃ及び貫通孔１１１Ａａに貫通させるという簡単な作業によって、内容物１７０が取り付けられた平板１７１の縁部１７１ａを底部１１０に支持することができる。また、軽量なタグピン２１０を用いるため、段ボール箱２００の重量の増加を抑制することができる。また、平板１７１の厚さに応じて、タグピン２１０のサイズを適宜に調整することができる。
【００３７】
〔実施形態３〕
本考案の実施形態３に係る段ボール箱を図面に基づいて説明する。図７は、実施形態３に係る段ボール箱の内部を示す、一部が断面である概略的斜視図である。図８は、図７のＶＩＩＩ−ＶＩＩＩ線による断面図である。図９は、底側内フラップに切り込みを入れて第１帯状部を成形した状態を示す概略的斜視図である。
【００３８】
図７に示すように、実施形態３に係る段ボール箱３００の底部１１０においては、底側外フラップ１１２の上に底側内フラップ１１１が重なって配置されている。底側内フラップ１１１は、幅面１２１に連結されている。幅面１２１の下端部には、支持部３１０が設けられる。
【００３９】
図８に示すように、支持部３１０は、第１部分３１１と、第２部分３１２と、第３部分３１３と、を含む。第１部分３１１は、幅面１２１の下端１２１ａで折れ曲がり内側に行くに従って上側に向けて斜め上方に延びる。第１部分３１１は、傾斜壁部である。第２部分３１２は、第１部分３１１の先端３１１ａ（第１折れ線３２１）で折れ曲がり外側に向けて幅面１２１まで延びる。第２部分３１２は、横壁部である。第３部分３１３は、第２部分３１２の先端３１２ａ（第２折れ線３２２）で折れ曲がり幅面１２１に沿って下側に向けて先端３１３ａまで延びる。第３部分３１３は、縦壁部である。
【００４０】
支持部３１０は、第１部分３１１、第２部分３１２及び第３部分３１３によって、断面形状が三角形状に形成されている。例えば、第２部分３１２と第３部分３１３との交差角が直角であり、その他の２つの角度が鋭角である直角三角形とすることができる。第１部分３１１で、内容物１７０の上端角部１７０ａ（端部）が支持される。
【００４１】
次いで、支持部３１０を成形する手順を説明する。まず、図９に示すように、底側内フラップ１１１に２つの切り込みを入れて長手方向の中央部分に第１帯状部３２０を作成する。即ち、２つの切り込みによって、底側内フラップ１１１は、第１帯状部３２０と、第２帯状部３３０と、第３帯状部３４０と、に分離される。第２帯状部３３０及び第３帯状部３４０は、第１帯状部３２０の長手方向の両側に配置される。
【００４２】
次に、一点鎖線で示す第１折れ線３２１を境にして第１帯状部３２０を図９の矢印方向である外側に折り曲げる。これにより、第１部分３１１及び第２部分３１２が成形される。次いで、一点鎖線で示す第２折れ線３２２を境にして図９の矢印方向である外側に第１帯状部３２０を折り曲げる。これにより、第３部分３１３が成形される。以上の工程を経て、図８に示す支持部３１０が成形される。
【００４３】
以上説明したように、第３実施形態によれば、支持部３１０は、幅面１２１の下端１２１ａで折れ曲がり内側に行くに従って上側に向けて斜め上方に延びる第１部分３１１と、第１部分３１１の先端３１１ａ（第１折れ線３２１）で折れ曲がり外側に向けて幅面１２１まで延びる第２部分３１２と、第２部分３１２の先端３１２ａ（第２折れ線３２２）で折れ曲がり幅面１２１に沿って下側に向けて延びる第３部分３１３と、を含む。第１部分３１１で内容物１７０の上端角部１７０ａ（端部）が支持される。
【００４４】
図８に示すように、第１部分３１１は、内側に行くに従って上側に向けて斜め上方に延びる傾斜部である。内容物１７０の上端角部１７０ａ（端部）は、第１部分３１１で支持される。ここで、上端角部１７０ａが第１部分３１１に当接すると、第１部分３１１から斜め下方に向いた反力が上端角部１７０ａに入力される。即ち、上端角部１７０ａを斜め下方に向けて押さえつけるようにして、第１部分３１１が上端角部１７０ａを支持する。従って、効果的に内容物１７０を支持することができる。
【００４５】
このように、簡単な作業によって、内容物１７０を支持することができる。さらに、段ボール箱３００の一部を加工して支持部３１０を作成するため、段ボール箱３００の重量が増加しない。なお、実施形態１，２のように、平板１７１の上に内容物１７０を取り付けた状態で、支持部３１０で内容物１７０を支持するようにしてもよい。
【００４６】
なお、本考案は、上記実施形態及び変形例に限定されるものではない。即ち、本考案の骨子を逸脱しない範囲で種々変形して実施することができる。例えば、前述した実施形態１では、折り曲げ部１５０を４箇所の角部１４０の全てに設けたが必ずしも４箇所全てに折り曲げ部１５０を設けなくてもよい。前述した実施形態２では、固定部材としてタグピン２１０を用いたが、タグピン２１０以外も適用可能である。前述した実施形態３では、内容物１７０を直接に支持部３１０で支持しているが、実施形態１，２のように、内容物１７０を平板１７１の上に取り付け、この内容物１７０を支持部３１０で支持するようにしてもよい。
【符号の説明】
【００４７】
１００  段ボール箱
１１０  底部
１１１Ａ  底側内フラップ
１１２  底側外フラップ
１２０  側部
１２１  幅面
１２２  長さ面
１４０  角部
１５０  折り曲げ部
１５１  切り込み
１６０  帯状部分
１７０  内容物
１７０ａ  上端角部（端部）
１７１  平板
１７１ａ  縁部
２００  段ボール箱
２１０  タグピン（固定部材）
３００  段ボール箱
３１０  支持部
３１１  第１部分
３１２  第２部分
３１３  第３部分
Ｇ  間隙
【図１】
0003221870.tif 000003
【図２】
0003221870.tif 000004
【図３】
0003221870.tif 000005
【図４】
0003221870.tif 000006
【図５】
0003221870.tif 000007
【図６】
0003221870.tif 000008
【図７】
0003221870.tif 000009
【図８】
0003221870.tif 000010
【図９】
0003221870.tif 000011
【手続補正書】
【提出日】平成31年4月18日(2019.4.18)
【手続補正１】
【補正対象書類名】実用新案登録請求の範囲
【補正対象項目名】全文
【補正方法】変更
【補正の内容】
【実用新案登録請求の範囲】
【請求項１】
一対の幅面及び一対の長さ面を含む側部と、前記一対の幅面の下端に連結された一対の底側内フラップ及び前記一対の長さ面の下端に連結された一対の底側外フラップを含む底部と、を備え、
内容物と前記内容物が取り付けられた平板とのいずれかを支持する支持手段を設けた、
段ボール箱。
【請求項２】
前記幅面と前記長さ面とが交差する角部には、前記底部に沿って延びて高さ方向に離隔する一対の切り込みと、当該切り込みによって形成され内側に向けて折れ曲がった状態の折り曲げ部と、が設けられ、前記折り曲げ部が前記支持手段であり、
前記折り曲げ部と前記底部との間隙に、前記内容物が取り付けられた前記平板の縁部が挿入されて前記平板が支持される、
請求項１に記載の段ボール箱。
【請求項３】
前記支持手段は、
前記底側内フラップに、前記内容物が取り付けられた前記平板が固定される固定部材である、
請求項１に記載の段ボール箱。
【請求項４】
前記底側内フラップは、前記幅面の下端で折れ曲がり内側に行くに従って上側に向けて斜め上方に延びる第１部分と、前記第１部分の先端で折れ曲がり外側に向けて前記幅面まで延びる第２部分と、前記第２部分の先端で折れ曲がり前記幅面に沿って下側に向けて延びる第３部分と、を含む支持部を備え、
前記第１部分が前記支持手段であり、
前記第１部分で前記内容物の端部が支持される、
請求項１に記載の段ボール箱。
【手続補正２】
【補正対象書類名】明細書
【補正対象項目名】０００７
【補正方法】変更
【補正の内容】
【０００７】
上述した課題を解決し、目的を達成するために、本考案の一態様に係る段ボール箱は、一対の幅面及び一対の長さ面を含む側部と、前記一対の幅面の下端に連結された一対の底側内フラップ及び前記一対の長さ面の下端に連結された一対の底側外フラップを含む底部と、を備え、内容物と前記内容物が取り付けられた平板とのいずれかを支持する支持手段を設けた。また、本考案の他の態様に係る段ボール箱は、前記幅面と前記長さ面とが交差する角部には、前記底部に沿って延びて高さ方向に離隔する一対の切り込みと、当該切り込みによって形成され内側に向けて折れ曲がった状態の折り曲げ部と、が設けられ、前記折り曲げ部が前記支持手段であり、前記折り曲げ部と前記底部との間隙に、前記内容物が取り付けられた前記平板の縁部が挿入されて前記平板が支持される。
【手続補正３】
【補正対象書類名】明細書
【補正対象項目名】０００８
【補正方法】変更
【補正の内容】
【０００８】
本考案の他の態様に係る段ボール箱において、前記支持手段は、前記底側内フラップに、前記内容物が取り付けられた前記平板が固定される固定部材である。
【手続補正４】
【補正対象書類名】明細書
【補正対象項目名】０００９
【補正方法】変更
【補正の内容】
【０００９】
本考案のさらに他の態様に係る段ボール箱において、前記底側内フラップは、前記幅面の下端で折れ曲がり内側に行くに従って上側に向けて斜め上方に延びる第１部分と、前記第１部分の先端で折れ曲がり外側に向けて前記幅面まで延びる第２部分と、前記第２部分の先端で折れ曲がり前記幅面に沿って下側に向けて延びる第３部分と、を含む支持部を備え、前記第１部分が前記支持手段であり、前記第１部分で前記内容物の端部が支持される。